(57)【特許請求の範囲】
【請求項１】
光透過性の基板と、
所定の表示情報を表す表示意匠部の背景を形成するように前記基板の観察者側を向く一方の面上に設けられる背景部とを備え、
前記背景部は、前記背景部の色調の基準色調を構成するように前記表示意匠部の非形成領域にて前記一方の面側に設けられる第１の着色層と、
前記第１の着色層の色調とは異なる色調であって、少なくとも一部が前記第１の着色層と重なるように前記一方の面側に設けられる透光性の第２の着色層とを有し、
前記第１の着色層は、ドットサイズによって色の段階的な変化が生じる第１の階調意匠部を備え、
前記第２の着色層は、前記ドットサイズとは異なるドットサイズによって色の段階的な変化が生じる第２の階調意匠部を備えていることを特徴とする表示板。
【請求項２】
前記第１の着色層は、透光性の着色層によって形成されていることを特徴とする請求項１記載の表示板。
【請求項３】
前記第１の着色層の色調は、シアン、マゼンタ、イエロー、ブラックのうち何れか１つの色調であり、
前記第２の着色層の色調は、シアン、マゼンタ、イエロー、ブラックのうち前記１つの色調を除いた何れか１つの色調であることを特徴とする請求項１または請求項２記載の表示板。
【発明の詳細な説明】
【技術分野】
【０００１】
本発明は、例えば自動車やオートバイに搭載される計器用の表示板に関し、特にシアン（Ｃ）、マゼンダ（Ｍ）、イエロー（Ｙ）、ブラック（Ｋ）等の複数の基本色インクからなるドット層を用いて階調意匠部を形成してなる表示板に関するものである。
【背景技術】
【０００２】
従来より、この種の表示板にあっては、例えば下記特許文献１に記載されているものが知られている。この特許文献１に記載の表示板は、車両に搭載された指針式の計器に用いられる計器用文字板からなり、合成樹脂からなる光透過性の基板の表面にスクリーン印刷層を、その裏面にはオフセット印刷層をそれぞれ設けており、オフセット印刷層上にスクリーン印刷層が重なって見える構成となっている。
【０００３】
スクリーン印刷層は、指針によって指示される目盛、数字等からなる計器意匠（表示意匠部）を形成し、オフセット印刷層は、シアン（Ｃ）、マゼンダ（Ｍ）、イエロー（Ｙ）、ブラック（Ｋ）等の複数の基本色インクからなるドット層を用いて、例えば紺色の背景中にグラデーション付きの青色系パターンが浮かぶ絵柄を再現している。
【先行技術文献】
【特許文献】
【０００４】
【特許文献１】特開２０００−３３７９３１号公報
【発明の概要】
【発明が解決しようとする課題】
【０００５】
上述した特許文献１に記載の表示板の場合、計器意匠の背景をなすように基板の裏面に形成される絵柄はオフセット印刷によって印刷形成されている。しかしながら、オフセット印刷は、基板面に均一の厚さで印刷インクをつけることはできても、ある部分だけインクの厚さを加減することはできない。そのため、中間色（例えばイエローとマゼンタとの間の中間色）を再現するのが難しく、色調再現性が悪いという問題点があった。
そこで本発明は、前述の課題に対して対処するため、色調再現性に優れた表示板の提供を目的とするものである。
【課題を解決するための手段】
【０００６】
本発明は、光透過性の基板と、所定の表示情報を表す表示意匠部の背景を形成するように前記基板の観察者側を向く一方の面上に設けられる背景部とを備え、前記背景部は、前記背景部の色調の基準色調を構成するように前記表示意匠部の非形成領域にて前記一方の面側に設けられる第１の着色層と、前記第１の着色層の色調とは異なる色調であって、少なくとも一部が前記第１の着色層と重なるように前記一方の面側に設けられる透光性の第２の着色層とを有し、前記第１の着色層は、ドットサイズによって色の段階的な変化が生じる第１の階調意匠部を備え、前記第２の着色層は、前記ドットサイズとは異なるドットサイズによって色の段階的な変化が生じる第２の階調意匠部を備えていることを特徴とする。
【０００７】
また本発明は、前記第１の着色層は、透光性または半透光性の着色層によって形成されていることを特徴とする。
【０００８】
また本発明は、前記第１の着色層の色調は、シアン、マゼンタ、イエロー、ブラックのうち何れか１つの色調であり、前記第２の着色層の色調は、シアン、マゼンタ、イエロー、ブラックのうち前記１つの色調を除いた何れか１つの色調であることを特徴とする。
【発明の効果】
【０００９】
本発明によれば、初期の目的を達成でき、色調再現性に優れた表示板を提供できる。
【図面の簡単な説明】
【００１０】
【図１】本発明の実施形態による表示板の正面図。
【図２】図１のＡ−Ａ断面図。
【図３】同実施形態による下地層と第１の着色層とを示す図。
【図４】同実施形態による第２の着色層を示す図。
【発明を実施するための形態】
【００１１】
以下、図１、図２に基づいて、本発明の実施形態を例えば自動車に搭載される車両用計器（指針式計器）の表示板に適用した場合を例に挙げて説明する。
【００１２】
図１、図２において、本実施形態による表示板Ｐは、例えば透明な合成樹脂材料からなる光透過性の基板１０の表面１１に表示意匠部２０と背景部３０とが設けられている。なお、表示意匠部２０の印刷断面図については、図示省略したが、表示意匠部２０は、図２に示すように背景部３０と同様に表面１１に形成されている。
【００１３】
表示意匠部２０は、基板１０の表面１１に部分的に形成され、図示省略した指針によって指示される目盛、数字等からなる計器意匠（所定の表示情報）を表すものである。なお、この場合、表示意匠部２０は、前記指針の作動範囲（回動範囲）に対応するように略円弧状に配列されている。
【００１４】
また、表示意匠部２０を構成する個々の目盛、数字等は、その主要部を構成する白色インク等からなる基幹部分２１と、この基幹部分２１の周囲を縁取る黒色インク等からなる縁取部分２２とを有している。
【００１５】
縁取部分２２は、基幹部分２１と背景部３０との境界部分に形成された黒色の遮光層からなり、この場合、背景部３０の内部に存在する表示意匠部２０の視認性を向上させることを目的として設けられている。なお、基幹部分２１並びに縁取部分２２は、スクリーン印刷によって印刷形成されたスクリーン印刷層からなるものである。
【００１６】
背景部３０は、表示意匠部２０の背景を形成するように基板１０の表面１１に設けられる。ここでの表面１１とは、観察者４０側から表示板Ｐをみたときに観察者４０側を向く一方の面であることを意味している。従って、この場合、背景部３０は、表示意匠部２０の背景を形成するように基板１０の観察者４０側を向く一方の面（つまり基板１０の表面１１）上に設けられることになる。
【００１７】
また、背景部３０は、下地層３１と、第１の着色層３２と、第２の着色層３３と、オーバーコート層３４とから主に構成されている。
【００１８】
下地層３１は、第１、第２の着色層３２、３３の下地を構成するように設けられた白色のスクリーン印刷層からなるものである。なお、本実施形態の場合、下地層３１の色調は白色となっているが、下地層３１の色調は白色に限らず、例えばシルバーをはじめとする金属系の色調を適用してもよい。
【００１９】
第１の着色層３２は、背景部３０の色調の基準色調を構成するように表示意匠部２０の非形成領域にて基板１０の表面１１側に設けられている。この第１の着色層３２は、所定の色を有する着色層によって印刷形成されたスクリーン印刷層からなり、本例の場合、シアン（Ｃ）、マゼンダ（Ｍ）、イエロー（Ｙ）、ブラック（Ｋ）等の複数の基本色インクのうち、イエロー（Ｙ）の遮光性インクを用いて形成されている。
【００２０】
第１の着色層３２は、ドットサイズによってイエロー色の段階的な変化が生じてなる第１の階調意匠部３２ａと、ドットの非形成領域に相当するドット開口率が２０％以下の印刷エリアであるベタ印刷エリア３２ｂとを備え（図３参照）、ベタ印刷エリア３２ｂの色は濃いイエローとなっている。
【００２１】
第２の着色層３３は、第１の着色層３２と同様に、表示意匠部２０の非形成領域にて基板１０の表面１１側に設けられている。この第２の着色層３３は、、透光性の着色層によって印刷形成されたスクリーン印刷層からなり、本例の場合、シアン（Ｃ）、マゼンダ（Ｍ）、イエロー（Ｙ）、ブラック（Ｋ）等の複数の基本色インクのうち、マゼンダ（Ｍ）の透光性インクを用いて形成されている。
【００２２】
このように第１の着色層３２の色調は、シアン、マゼンタ、イエロー、ブラックのうち何れか１つの色調であるイエローとなっており、他方、第２の着色層３３の色調は、シアン、マゼンタ、イエロー、ブラックのうちイエローを除いた何れか１つの色調であるマゼンタとなっている。
【００２３】
また、第２の着色層３３は、上述のように第１の着色層３２の色調とは異なる色調であって、第１の着色層３２並びに第１の着色層３２によって覆われていない下地層３１の露出部３１ａと重なるように表面１１側に設けられている。つまり、このことは、第２の着色層３３は、少なくとも一部（露出部３１ａ以外の領域）が第１の着色層３２と重なるように表面１１側に設けられていることを意味している。
【００２４】
そして、第２の着色層３３は、前記ドットサイズよりも小さなドットサイズによってマゼンタ色の段階的な変化が生じてなる第２の階調意匠部３３ａを備えている（図４参照）。オーバーコート層３４は、第２の着色層３３の全体を覆うように透光性の艶消インクにて印刷形成された保護層からなるものである。なお、下地層３１と各着色層３２、３３とオーバーコート層３４とでなる背景部３０の膜厚は、約１０〜２０μｍに設定されている。
【００２５】
以上の各部により、表示板Ｐが構成されている。ここで、特に第１の着色層３２と第２の着色層３３との位置関係に着目すると、観察者４０側から表示板Ｐを視認したときに、特に図２中、領域Ｘにおいては、観察者４０の視線方向に第１の着色層３２と第２の着色層３３とが（つまり第１の階調意匠部３２ａと第２の階調意匠部３３ａとが）重なるように配置されている。
【００２６】
そして、観察者４０に対して、イエロー色の段階的な変化が生じてなる第１の階調意匠部３２ａの色とマゼンタ色の段階的な変化が生じてなる第２の階調意匠部３３ａの色との混色を視認させるように構成されていることから、イエローとマゼンタとの間の中間色を容易に再現することができるとともに、背景部３０自体が色変化を伴った階調意匠にて表現され、従来に比べて色調再現性に優れた表示板を提供することができる。
【００２７】
以上のように、本実施形態では、光透過性の基板１０と、所定の表示情報を表す表示意匠部２０の背景を形成するように基板１０の観察者４０側を向く一方の面（表面１１）上に設けられる背景部３０とを備え、背景部３０は、背景部３０の色調の基準色調を構成するように表示意匠部２０の非形成領域にて表面１１側に設けられる第１の着色層３２と、この第１の着色層３２の色調とは異なる色調であって、少なくとも一部が第１の着色層３２と重なるように表面１１側に設けられる透光性の第２の着色層３３とを有し、第１の着色層３２は、前記ドットサイズによって色の段階的な変化が生じる第１の階調意匠部３２ａを備え、第２の着色層３３は、前記ドットサイズよりも小さなドットサイズによって色の段階的な変化が生じる第２の階調意匠部３３ａを備えていることにより、観察者４０に対しイエロー色の段階的な変化が生じてなる第１の階調意匠部３２ａの色とマゼンタ色の段階的な変化が生じてなる第２の階調意匠部３３ａの色との混色を視認させるようにしたので、イエローとマゼンタとの間の中間色を容易に再現することができ、色調再現性に優れた表示板を提供することができる。
【００２８】
また本実施形態では、第１の着色層３２がイエローの遮光性インクを用いて形成されるとともに第２の着色層３３がマゼンタの透光性インクを用いて形成されている例について説明したが、例えば第１の着色層３２をイエローの透光性インクにて形成してもよい。
【００２９】
また本実施形態では、第１の着色層３２がイエローを基本色調としたものであり、第２の着色層３３がマゼンタを基本色調としたものであったが、例えば第１の着色層３２をマゼンタやシアン、ブラック等を基本色調とし、第２の着色層３３を第１の着色層３２の色と異なる色を基本色調とした構成としてもよい。例えば第１の着色層３２がマゼンタであれば第２の着色層３３はシアンやイエロー等を適用することができる。
【００３０】
また本実施形態では、第２の階調意匠部３３ａが、前記ドットサイズよりも小さなドットサイズによって色の段階的な変化が生じてなるものであったが、第２の階調意匠部３３ａのドットサイズは、第１の階調意匠部３２ａのドットサイズと異なっていればよく、例えば第２の階調意匠部３３ａは前記ドットサイズよりも大きなドットサイズによって色の段階的な変化が生じてなるものであってもよい。
【００３１】
なお、表示板Ｐ（基板１０）の背後側に図示省略した光源（ＬＥＤ）が配置されている場合には、下地層３１を白色の透光性インクによって形成し、また第１の着色層３２をイエローの透光性インクによって形成する必要がある。このとき、必要に応じて、下地層３１や各着色層３２、３３を透過する透過光量を調整するための網点印刷層や拡散印刷層等からなる図示省略した光量調整部（光量調整層）を表面１１とは反対側となる基板１０の他方の面（背面）に印刷形成してもよい。
【符号の説明】
【００３２】
Ｐ    表示板
１０    基板
１１    表面（一方の面）
２０    表示意匠部
２１    基幹領域
２２    縁取領域
３０    背景部
３１    下地層
３２    第１の着色層
３２ａ  第１の階調意匠部
３２ｂ  ベタ印刷エリア
３３    第２の着色層
３３ａ  第２の階調意匠部
【図１】
0005896232.tif 000002
【図２】
0005896232.tif 000003
【図３】
0005896232.tif 000004
【図４】
0005896232.tif 000005